(57)【要約】      （修正有）【課題】外生菌根菌の生育を促進し、外生菌根菌の培養時間を短縮することができる培地及びそれを用いた栽培方法を提供する。【解決手段】外生菌根菌の生育促進物質として、バイカレイン（Baicalein）、フィセチン（Fisetin）、ミリセチン（Myricetin）、タキシフォリン（Taxifolin）、アピゲニン（Apigenin）、ケンペロール（Kaempferol）及びダイゼイン（Daidzein）からなる群より選択される少なくとも１種のフラボノイド類、並びに／又は、特定の構造式（例えば、バイカリン）で表されるフラボノイド類の配糖体を含む培地。【選択図】なし【特許請求の範囲】
【請求項１】
外生菌根菌の生育促進物質として、バイカレイン（Baicalein）、フィセチン（Fisetin）、ミリセチン（Myricetin）、タキシフォリン（Taxifolin）、アピゲニン（Apigenin）、ケンペロール（Kaempferol）及びダイゼイン（Daidzein）からなる群より選択される少なくとも１種のフラボノイド類、並びに／又は、下記式（１）で表されるフラボノイド類の配糖体を含む培地。
【化１】
2015070835.tif 000007
（１）
（式（１）中、Ｒ１〜Ｒ８は、それぞれ独立して、Ｈ基、ＯＨ基又は糖が結合したＯ基を表し、Ｒ１〜Ｒ８の少なくとも１つは糖が結合したＯ基である。Ｃ環の２−３位間の結合は、単結合及び二重結合のいずれであってもよい。）
【請求項２】
前記式（１）において、前記糖は、グルコース、グルクロン酸、ラムノース、アピオース、ガラクトース、キシロース、アラビノース及びフルクトースからなる群より選択される少なくとも１種の単糖、又は、該単糖が複数結合したオリゴ糖若しくは多糖である請求項１に記載の培地。
【請求項３】
請求項１又は２に記載の培地を用いた外生菌根菌の栽培方法。
【発明の詳細な説明】
【技術分野】
【０００１】
本発明は、特定のフラボノイド類を外生菌根菌の生育促進物質として含む培地、及びそれを用いた外生菌根菌の栽培方法に関する。
【背景技術】
【０００２】
外生菌根菌はマツ科やブナ科などの樹木と共生関係を築いている真菌類である。外生菌根菌は、植物から主に光合成産物を受け取り、その代わりに窒素やリンなどの無機栄養分や水を植物へと与えている。その共生体である外生菌根は、根の表面を包む菌鞘、根の外に伸びる菌糸、及びハルティヒ・ネットと呼ばれる根の細胞と細胞の間に入り込んだ菌糸からなっており、外生菌根菌と植物との間における物質の交換は、このハルティヒ・ネットを介するとされている。
【０００３】
この様に、樹木に依存して養分を獲得する外生菌根菌は、一般的に、人工培地上での子実体形成が難しいとされる。その原因として、ほとんどの菌が澱粉やセルロースなどを養分となる糖へと分解する糖質分解酵素類の活性が極めて弱いことで、人工培地からは十分な養分を得られず、そのため生育速度が極めて遅いことなどが挙げられる。さらに、多量の菌糸体を得るために、高濃度の糖類を養分として与えると、高浸透圧のため菌糸生育が抑制されることもあり、宿主植物の存在しない条件で子実体形成に十分量な菌糸体を確保することは困難である。
【０００４】
非特許文献１〜３では、フラボノイド系物質によるアーバスキュラー菌根菌（ＡＭ菌）の菌糸伸長効果が確認されている。しかし、ＡＭ菌と外生菌根菌とは異なる種類の菌根菌であり、外生菌根菌の生育を促進する点については検討されていない。
【先行技術文献】
【非特許文献】
【０００５】
【非特許文献１】Nair, M.G., Safir, G.R. and Siqueira, J.O., "Isolation and Identification of Vesicular-Arbuscular Mycorrhiza-Stimulatory Compounds from Clover（Trifolium repens）Roots", Applied and Enviromental Microbiology, (米国), 1991,  57(2), p.434-439
【非特許文献２】Becard, G., Douds, D.D. and Pfeffer, P.E., "Extensive In Vitro Hyphal Growth of Versicular-Arbuscular mycorrhizal Fungi in the Presence of CO2 and Flavonols", Applied and Enviromental Microbiology, (米国), 1992, 58(3), p.821-825
【非特許文献３】Vierfeiling, H., Bago, B., Albrecht, C., Poukin, M.-J. and Piche, Y., "Flavonoid and Arbuscular-mycorrhizal fungi", Flavonoids in the LiningSystem, edited by Manthey and Buslig, Plenum Press, New York, (米国), 1998, p.9-33
【発明の概要】
【発明が解決しようとする課題】
【０００６】
本発明の目的は、外生菌根菌の生育を促進し、外生菌根菌の培養時間を短縮することにある。
【課題を解決するための手段】
【０００７】
本発明者らは、人工培地上での外生菌根菌の子実体形成を目的として、人工培地上で多量の菌糸体を確保すべく、外生菌根菌の生長促進物質の探索を行った。実施に当たり、まず、宿主植物の根の水溶性画分より探索を行った。その結果、画分中のタキシフォリン（Taxifolin）の配糖体が外生菌根菌の生育を促進することを見出した。タキシフォリン及びその配糖体の構造を以下に示す。下記式（ａ）において、タキシフォリンは、５つのＲの全てがＯＨ基であるもの、タキシフォリンの配糖体は、５つのＲのいずれか１つが糖（六炭糖）が結合したＯ基であり、残り４つがＯＨ基のものである。
【０００８】
【化１】
2015070835.tif 000002
（ａ）
【０００９】
そして、式（ａ）で示したタキシフォリンの配糖体と類似した構造を有する物質について更に探索した結果、特定のフラボノイド類が外生菌根菌の生長を促進させる効果を奏することを見出し、本発明に想到した。
すなわち、本発明は、次の通りの構成をとるものである。
〔１〕外生菌根菌の生育促進物質として、バイカレイン（Baicalein）、フィセチン（Fisetin）、ミリセチン（Myricetin）、タキシフォリン（Taxifolin）、アピゲニン（Apigenin）、ケンペロール（Kaempferol）及びダイゼイン（Daidzein）からなる群より選択される少なくとも１種のフラボノイド類、並びに／又は、下記式（１）で表されるフラボノイド類の配糖体を含む培地。
【化２】
2015070835.tif 000003
（１）
（式（１）中、Ｒ１〜Ｒ８は、それぞれ独立して、Ｈ基、ＯＨ基又は糖が結合したＯ基を表し、Ｒ１〜Ｒ８の少なくとも１つは糖が結合したＯ基である。Ｃ環の２−３位間の結合は、単結合及び二重結合のいずれであってもよい。）
〔２〕前記式（１）において、前記糖は、グルコース、グルクロン酸、ラムノース、アピオース、ガラクトース、キシロース、アラビノース及びフルクトースからなる群より選択される少なくとも１種の単糖、又は、該単糖が複数結合したオリゴ糖若しくは多糖である前記〔１〕に記載の培地。
〔３〕〔１〕又は〔２〕に記載の培地を用いた外生菌根菌の栽培方法。
【発明の効果】
【００１０】
本発明によれば、外生菌根菌の生育（特に菌糸の生長）を促し、外生菌根菌の培養時間を短縮することができる。これにより、宿主植物の存在しない人工培地であっても、子実体形成に必要な十分量の菌糸体を確保することが期待できる。また、栽培品種はもちろん、野生種の生育も促進できるため、野生種の分離培養時間を短縮し、菌床などに接種するまでの時間も短縮できる。
【図面の簡単な説明】
【００１１】
【図１】バイカリンを含む培地でホンシメジを培養した結果を示すグラフである。（実施例１）
【図２】フィセチンを含む培地でホンシメジを培養した結果を示すグラフである。（実施例２）
【図３】ミリセチンを含む培地でホンシメジを培養した結果を示すグラフである。（実施例３）
【図４】イソクェルシトリンを含む培地でホンシメジを培養した結果を示すグラフである。（実施例４）
【図５】タキシフォリンを含む培地でホンシメジを培養した結果を示すグラフである。（実施例５）
【図６】クェルシツロンを含む培地でホンシメジを培養した結果を示すグラフである。（実施例６）
【図７】アストラガリンを含む培地でホンシメジを培養した結果を示すグラフである。（実施例７）
【図８】バイカレインを含む培地でホンシメジを培養した結果を示すグラフである。（実施例８）
【図９】アピゲニンを含む培地でホンシメジを培養した結果を示すグラフである。（実施例９）
【図１０】アピインを含む培地でホンシメジを培養した結果を示すグラフである。（実施例１０）
【図１１】ケンペロールを含む培地でホンシメジを培養した結果を示すグラフである。（実施例１１）
【図１２】ヒペロシドを含む培地でホンシメジを培養した結果を示すグラフである。（実施例１２）
【図１３】クェルセチン−３−Ｏ−グルコース−６−アセテートを含む培地でホンシメジを培養した結果を示すグラフである。（実施例１３）
【図１４】ルチンを含む培地でホンシメジを培養した結果を示すグラフである。（実施例１４）
【図１５】ダイゼインを含む培地でホンシメジを培養した結果を示すグラフである。（実施例１５）
【図１６】ルテオリンを含む培地でホンシメジを培養した結果を示すグラフである。（比較例１）
【図１７】クェルセチンを含む培地でホンシメジを培養した結果を示すグラフである。（比較例２）
【図１８】ゲニステインを含む培地でホンシメジを培養した結果を示すグラフである。（比較例３）
【図１９】バイカリンを含む培地でアシナガイグチを培養した結果を示すグラフである。（実施例１６）
【図２０】フィセチンを含む培地でアシナガイグチを培養した結果を示すグラフである。（実施例１７）
【図２１】ミリセチンを含む培地でアシナガイグチを培養した結果を示すグラフである。（実施例１８）
【図２２】イソクェルシトリンを含む培地でアシナガイグチを培養した結果を示すグラフである。（実施例１９）
【図２３】タキシフォリンを含む培地でアシナガイグチを培養した結果を示すグラフである。（実施例２０）
【図２４】バイカリンを含む培地でヤマドリタケモドキを培養した結果を示すグラフである。（実施例２１）
【図２５】フィセチンを含む培地でヤマドリタケモドキを培養した結果を示すグラフである。（実施例２２）
【図２６】ミリセチンを含む培地でヤマドリタケモドキを培養した結果を示すグラフである。（実施例２３）
【図２７】イソクェルシトリンを含む培地でヤマドリタケモドキを培養した結果を示すグラフである。（実施例２４）
【図２８】タキシフォリンを含む培地でヤマドリタケモドキを培養した結果を示すグラフである。（実施例２５）
【図２９】式（ａ）で示したタキシフォリンの配糖体を含む培地でホンシメジを培養した結果を示すグラフである。（実施例２６）
【発明を実施するための形態】
【００１２】
本発明の培地は、外生菌根菌の生育促進物質として、バイカレイン、フィセチン、ミリセチン、タキシフォリン、アピゲニン、ケンペロール及びダイゼインからなる群より選択される少なくとも１種のフラボノイド類、並びに／又は、下記式（１）で表されるフラボノイド類の配糖体を含む。
【化３】
2015070835.tif 000004
（１）
（式（１）中、Ｒ１〜Ｒ８は、それぞれ独立して、Ｈ基、ＯＨ基又は糖が結合したＯ基を表し、Ｒ１〜Ｒ８の少なくとも１つは糖が結合したＯ基である。Ｃ環の２−３位間の結合は、単結合及び二重結合のいずれであってもよい。）
【００１３】
なお、Ｃ環とは、式（１）中でＣを付した六員環を意味する。また、２−３位間の結合とは、式（１）中で２、３を付した炭素間の結合を意味する。
【００１４】
バイカレイン、フィセチン、ミリセチン、タキシフォリン、アピゲニン、ケンペロール及びダイゼインは、いずれも非配糖体（アグリコン）である。これらは、１種を単独で用いてもよいし、２種以上を併用してもよい。なかでも、外生菌根菌の生育促進効果に優れるという点から、バイカレイン、フィセチン、ミリセチン、タキシフォリンが好ましく、フィセチン、ミリセチン、タキシフォリンがより好ましい。
【００１５】
式（１）中、Ｒ１〜Ｒ８は、それぞれ独立して、Ｈ基、ＯＨ基又は糖が結合したＯ基を表す。外生菌根菌の生育促進効果に優れるという点から、Ｒ１又はＲ４は、糖が結合したＯ基であることが好ましい。すなわち、配糖体において、糖の結合位置は、３位又は７位であることが好ましい。同様の観点から、Ｒ２はＯＨ基であることが好ましく、Ｒ５はＨ基であることが好ましく、Ｒ６及びＲ８の何れかがＨ基であることが好ましい。
また、Ｒ４は、糖が結合したＯ基でないとき、ＯＨ基であることが好ましい。
【００１６】
式（１）において、糖については特に限定されないが、グルコース、グルクロン酸、ラムノース、アピオース、ガラクトース、キシロース、アラビノース及びフルクトースからなる群より選択される少なくとも１種の単糖、又は、該単糖が複数結合したオリゴ糖若しくは多糖が好ましい。なかでも、外生菌根菌の生育促進効果に優れるという点から、グルコース、グルクロン酸、ラムノース、アピオース、ガラクトースがより好ましく、グルコース、グルクロン酸が更に好ましい。
【００１７】
式（１）で表されるフラボノイド類の配糖体の具体例としては、バイカリン（Baicalin）、イソクェルシトリン（Isoquercitrin）、クェルシツロン（Querciturone）、アストラガリン（Astragalin）、アピイン（Apiin）、ヒペロシド（Hyperoside）、クェルセチン−３−Ｏ−グルコース−６−アセテート（Quercetin-3-O-glucose-6-acetate）、ルチン（Rutin）、プランタギニン（Plantaginin）、スクテラリン（scutellarin）、クェルシトリン（Quercitrin）、アスチルビン（Astilbin）が挙げられる。また、式（ａ）で示したタキシフォリンの配糖体も式（１）で表されるフラボノイド類の配糖体に含まれる。これらは、１種を単独で用いてもよいし、２種以上を併用してもよい。なかでも、外生菌根菌の生育促進効果に優れるという点から、バイカリン、イソクェルシトリン、式（ａ）で示したタキシフォリンの配糖体、クェルシツロン、アストラガリンが好ましく、バイカリン、イソクェルシトリン、式（ａ）で示したタキシフォリンの配糖体がより好ましい。
【００１８】
なお、好ましい生育促進物質として例示したフラボノイド類のうち、式（ａ）で示したタキシフォリンの配糖体以外の物質は、工業的に合成することが可能であり、入手が容易であるという点で有利である。
【００１９】
また、前述のフラボノイド類には異性体が存在するが、本発明では、異性体の一方のみを使用してもよいし、異性体の混合物を使用してもよい。後述の実施例においては、異性体の混合物を使用している。
【００２０】
生育促進物質は、そのまま培地に添加してもよいが、ジメチルスルホキシド（dimethylsulfoxide）などの公知の溶媒に溶解させ、溶液として添加することが好ましい。生育促進物質を含む溶液において、生育促進物質の濃度は、好ましくは１ｐＭ〜１００μＭ、より好ましくは１ｎＭ〜１０μＭ、更に好ましくは１μＭ〜１０μＭである。
【００２１】
本発明の培地は、前述の生育促進物質以外に、グルコースなどの菌根菌が生育に利用可能な糖類、穀類をはじめとする炭素源；米ぬか、フスマ、酒石酸アンモニウムなどの有機態、及び、硝酸アンモニウム、リン酸水素２アンモニウムをはじめとする無機態の窒素源；リン酸２水素カリウム、塩化ナトリウム、硫酸マグネシウム、塩化カルシウム、塩化鉄などをはじめとする無機塩類；チアミン塩酸塩や葉酸などをはじめとするビタミン類などの公知の培地成分を含んでもよい。
【００２２】
本発明の培地の形態は、液体培地であってもよいし、寒天培地、菌床培地をはじめとする固体培地であってもよい。
【００２３】
本発明の培地によって生育が促進される外生菌根菌としては、例えば、シメジ科（Lyophyllaceae）、イッポンシメジ科（Entolomataceae）、キシメジ科（Tricholomataceae）、テングタケ科（Amanitaceae）、ショウロ科（Rhizopogonaceae）、オウギタケ科（Gomphidiaceae）、ヌメリイグチ科（Suillaceae）、イグチ科（Boletaceae）、オニイグチ科（Strobilomycetaceae）が挙げられる。なかでも、本発明の培地による生育促進効果が高いという点から、シメジ科、オニイグチ科、イグチ科が好ましい。また、これらの科に属する外生菌根菌のうち、シメジ属（Lyophyllum）、キクバナイグチ属（Boletellus）、イグチ属（Boletus）が特に好ましい。
【００２４】
シメジ属に属する外生菌根菌としては、例えば、ホンシメジ（Lyophyllum shimeji）、シャカシメジ（Lyophyllum fumosum）、カクミノシメジ（Lyophyllum sykosporum）、スミゾメシメジ（Lyophyllum semitale）が挙げられ、ホンシメジが好ましい。
【００２５】
キクバナイグチ属に属する外生菌根菌としては、例えば、オオキノボリイグチ(Boletellus mirabilis)、キクバナイグチ(Beletellus floriformis)、ミヤマベニイグチ(Beletellus obscurecoccineus)、マルミノアヤメイグチ(Boletellus badiovinosus)、アヤメイグチ(Boletellus chrysenteroides)、アシナガイグチ(Boletellus elatus)、ビロードイグチモドキ(Boletellus fallax)、アキノアシナガイグチ(Boletellus longicollis)、セイタカイグチ(Boletellus russellii)、トゲミノヒメイグチ(Boletellus shichianus）が挙げられ、アシナガイグチが好ましい。
【００２６】
イグチ属（広義）に属する外生菌根菌としては、例えば、ニセイロガワリ(Boletus badius)、コウジタケ(Boletus fraternus)、ツブエノウラベニイグチ(Boletus granulopunctatus)、イロガワリ(Boletus pulverulentus)、ダイダイイグチ(Boletus laetissimus)、ニセアシベニイグチ(Boletus pseudocalopus)、ミヤマイロガワリ(Boletus sensibilis)、アメリカウラベニイロガワリ(Boletus subvelutipes)、オオコゲチャイグチ(Boletus obscureumbrinus)、コゲチャイグチ(Boletus brunneissimus)、タカネウラベニイロガワリ(Boletus frostii)、ナガエノウラベニイグチ(Boletus quercinus)、ミヤマアミアシイグチ(Boletus appendiculatus)、コガネヤマドリ(Boletus aurantiosplendens)、オオダイアシベニイグチ(Boletus odaiensis)、アカジコウ(Boletus speciosus)、アケボノヤマドリタケ(Boletus regius)、ニシキイグチ(Boletus bicolor)、アシベニイグチ(Boletus calopus)、バライロアミアシイグチ(Boletus peckii)、バライロウラベニイロガワリ(Boletus rhodocarpus)、ススケイグチ(Boletus aereus)、ススケヤマドリタケ(Boletus hiratsukae)、ヤマドリタケ(Boletus edulis)、ヤマドリタケモドキ(Boletus reticulatus)、ムラサキヤマドリタケ(Boletus violaceofuscus)、クロアワタケ(Boletus griseus)、キアミアシイグチ(Boletus ornatipes)、キッコウアワタケ(Boletus chrysenteron)、クロアザアワタケ(Boletus nigromaculatus)、ミヤマアワタケ(Boletus obscurebrunneus)、アワタケ(Boletus subtomentosus)が挙げられ、ヤマドリタケモドキが好ましい。
【００２７】
本発明の培地を用いた外生菌根菌の栽培方法（培養方法）としては特に限定されず、公知の方法を適用できる。培養条件や培養形態についても特に限定されず、培養に供される外生菌根菌の種類などに応じて適宜選択すればよい。
【実施例】
【００２８】
以下、実施例を挙げて本発明を具体的に説明するが、本発明はこれらに限定されるものではない。
【００２９】
［実施例１〜１５、比較例１〜３］
＜実験方法＞
式（ａ）で示したタキシフォリンの配糖体と構造が類似するフラボノイド類として、下記表１に示す１８物質（フラボン類５物質、フラボノール類１０物質、フラバノノール類１物質、イソフラボン類２物質）を、それぞれ２０％ジメチルスルホキシド（V／V）を溶媒として、１ｐＭ、１ｎＭ、１μＭ、１０μＭ、１００μＭに調製した。得られた各溶液を、外生菌根菌の培養に汎用されるＭＭＮ（Modified Melin-Norkrans）寒天平板培地（１０ｍｌ）の表面に２０μｌ添加し、コーンラージ棒で均一に広がるように塗り拡げた。対照区には、同量の２０％ジメチルスルホキシドを添加した。
【００３０】
【表１】
2015070835.tif 000005
１〜５：フラボン類
６〜１５：フラボノール類
１６：フラバノノール類
１７〜１８：イソフラボン類
【００３１】
予め同じ培地を用いて培養しておいた外生菌根菌の菌糸体を直径５ｍｍのコルクボーラーで培地ごと打ち抜き、得られた菌糸体ディスクを作成した培地の中心に置いて一ヶ月間培養し（培養温度：２５℃、暗黒下、ｎ＝３）、培養後の菌糸層の形態及び菌糸伸長を測定した。菌糸伸長は、接種源を中心に垂直に交わる直線をシャーレに引き、接種源外縁から直線と菌糸先端との交点までの距離で測定した。
【００３２】
供試菌はホンシメジ（Lyophyllum shimeji）を用いた。
【００３３】
＜実験結果＞
供試した１８物質のうち、ホンシメジの菌糸生育において比較的安定した促進効果を示した物質は、バイカリン、フィセチン、ミリセチン、イソクェルシトリン、タキシフォリンの計５物質であった。これらの実験結果を図１〜５に示す。以下で説明する各図において、菌糸伸長促進効果は、対照区の菌糸伸長の平均値を１としたときの相対値で表している。
【００３４】
上記５物質の至適濃度とその時の菌糸伸長促進効果は、バイカリン：１μＭで対照区の１．２１倍、フィセチン：１μＭで対照区の１．１７倍、ミリセチン：１μＭで対照区の１．２５倍、イソクェルシトリン：１０μＭで対照区の１．２５倍、タキシフォリン：１０μＭで対照区の１．２２倍であった。以上の結果より、これらの物質の至適濃度がいずれも１μＭ〜１０μＭであること、至適濃度におけるホンシメジの菌糸伸長速度は対照区の１．１７〜１．２５倍であることが判った。
【００３５】
また、上記５物質に比べるとやや安定性が劣るものの、クェルシツロン、アストラガリン、バイカレイン、アピゲニン、アピイン、ケンペロール、ヒペロシド、クェルセチン−３−Ｏ−グルコース−６−アセテート、ルチン、ダイゼインにおいても、菌糸伸長促進効果を示す傾向が確認された。これらの実験結果を図６〜１５に示す。図６〜１５においては、至適濃度における結果のみを示している。
【００３６】
これに対し、ルテオリン（Luteolin）、クェルセチン（Quercetin）、ゲニステイン（Genistein）については、菌糸伸長促進効果は確認できなかった。これらの実験結果を図１６〜１８に示す。
【００３７】
［実施例１６〜２０］
ホンシメジで安定した効果が確認出来た５物質を用いて、アシナガイグチ（Boletellus elatus）についても同様の試験を行った。その結果、アシナガイグチにおいても、これらの５物質が同様の菌糸成長促進効果を示すことが明らかとなった。これらの実験結果を図１９〜２３に示す。図１９〜２３においては、至適濃度における結果のみを示している。
【００３８】
各物質の至適濃度とその時の菌糸伸長促進効果は、バイカリン：１０μＭで対照区の１．０７倍、フィセチン：１０μＭで対照区の１．２６倍、ミリセチン：１０μＭで対照区の１．０８倍、イソクェルシトリン：１００μＭで対照区の１．０８倍、タキシフォリン：１０μＭで対照区の１．１１倍であった。以上の結果より、至適濃度がホンシメジの場合よりもやや高い１０μＭ〜１００μＭであること、至適濃度におけるアシナガイグチの菌糸伸長速度は対照区の１．０７〜１．２６倍であることが判った。
【００３９】
［実施例２１〜２５］
アシナガイグチの近縁属のきのこであるヤマドリタケモドキ（Boletus reticulatus）に同物質を処理した結果、図２４〜２８に示すように、各物質の至適濃度とその時の菌糸伸長促進効果は、バイカリン：１μＭで対照区の１．２５倍、フィセチン：１０μＭで対照区の１．２８倍、ミリセチン：１μＭで対照区の１．３４倍、イソクェルシトリン：１０μＭで対照区の１．４０倍、タキシフォリン：１０μＭで対照区の１．２９倍であった。
【００４０】
［実施例２６］
最後に、本発明完成のきっかけとなった、式（ａ）で示したタキシフォリンの配糖体を用いた実験について説明する。
【００４１】
細断したアカマツの根約１２ｇを液体窒素により凍結させ、乳鉢と乳棒で粉砕し、７．５ｍｌの超純水を数回に分けて加え、粉末状になった根をすりつぶすように丁寧に攪拌した。その後、遠心分離し、その上清をメンブランフィルター（孔径：０．４５μｍ）で濾過し、粗抽出液を得た。
そして、下記表２に示す条件にて、分取ＬＣ（Liquid Chromatography）装置を用いて、粗抽出液より、保持時間（Retention Time（R.T.））４３−４６分に検出されるタキシフォリンの配糖体を単離した。
【００４２】
【表２】
2015070835.tif 000006
【００４３】
単離したタキシフォリンの配糖体の一部を超純水で１２ｍｌに調製後、得られた溶液の５０μｌ、５０００μｌをＭＭＮ寒天平板培地（１０ｍｌ）に添加し、生育試験用の培地とした。また、対照区及び各処理区の培地は、最終濃度が等しくなるよう超純水を添加した。
【００４４】
培養期間を７日間に変更した以外は実施例１と同様の手法により、試験を行った。供試菌はホンシメジを用いた。結果を図２９に示す。
【００４５】
図２９に示すように、対照区と比較して、５０μｌ添加の培地は１．０３倍、５０００μｌ添加の培地は１．１５倍の菌糸伸長速度を示すことが判った。
【図１】
2015070835.tif 000008
【図２】
2015070835.tif 000009
【図３】
2015070835.tif 000010
【図４】
2015070835.tif 000011
【図５】
2015070835.tif 000012
【図６】
2015070835.tif 000013
【図７】
2015070835.tif 000014
【図８】
2015070835.tif 000015
【図９】
2015070835.tif 000016
【図１０】
2015070835.tif 000017
【図１１】
2015070835.tif 000018
【図１２】
2015070835.tif 000019
【図１３】
2015070835.tif 000020
【図１４】
2015070835.tif 000021
【図１５】
2015070835.tif 000022
【図１６】
2015070835.tif 000023
【図１７】
2015070835.tif 000024
【図１８】
2015070835.tif 000025
【図１９】
2015070835.tif 000026
【図２０】
2015070835.tif 000027
【図２１】
2015070835.tif 000028
【図２２】
2015070835.tif 000029
【図２３】
2015070835.tif 000030
【図２４】
2015070835.tif 000031
【図２５】
2015070835.tif 000032
【図２６】
2015070835.tif 000033
【図２７】
2015070835.tif 000034
【図２８】
2015070835.tif 000035
【図２９】
2015070835.tif 000036